【事件の表示】
　上記当事者間の登録第５４５９５１６号商標の商標登録無効審判事件について，次のとおり審決する。
【結　論】
　登録第５４５９５１６号の登録を無効とする。
　審判費用は被請求人の負担とする。
【理　由】
第１　本件商標
　本件登録第５４５９５１６号商標（以下「本件商標」という。）は，「ＮＲＫ」の文字を標準文字で現してなり，平成２３年３月２４日に登録出願，第３６類「確定拠出年金に関する運用管理の受託（生命保険・損害保険に関するものを除く。），確定拠出年金に関する資産管理契約の引受け（生命保険・損害保険に関するものを除く。），確定拠出年金に関する運用管理の受託に関する情報の提供（生命保険・損害保険に関するものを除く。），確定拠出年金に関する資産管理契約の引受けに関する情報の提供（生命保険・損害保険に関するものを除く。）」を指定役務として，同年１１月３０日に登録査定，同年１２月２２日に設定登録されたものである。
　
第２　請求人の主張
　請求人は，結論同旨の審決を求めると申し立て，その理由を次のように述べ，証拠方法として，甲第１号証ないし甲第６４号証（以下，甲各号証の表記にあたっては，「甲○」（「○」部分は数字）のように省略する場合がある。）を提出した。
１　利害関係
　請求人は，本件商標の商標権者（以下「本件商標権者」という。）から本件商標の商標権を侵害する旨の警告を内容証明郵便にて受けており（甲６１ないし甲６４），本件審判を請求するにつき利害関係を有する。
２　請求の理由
　本件商標の登録は，以下の理由により，商標法第３条第１項柱書又は同法第４条第１項第１０号に違反してされたものであるから，同法第４６条第１項第１号により無効にすべきものである。
（１）商標法第３条第１項柱書違反について
　ア　本件商標の指定役務（以下「本件指定役務」という。）中の確定拠出年金に関する業務（確定拠出年金運営管理業）は，「主務大臣の登録を受けた法人でなければ，営んではならない。」（確定拠出年金法第８８条第１項：甲２）と規定され，主務大臣（厚生労働大臣及び内閣総理大臣）の登録を受けた法人のみ（なお，同条第２項には，「銀行その他の政令で定める金融機関は，他の法律の規定にかかわらず，前項の登録を受けて確定拠出年金運営管理業を営むことができる。」との規定がある。）が確定拠出年金運営管理に関する業務を業として営むことができるとされており，本件商標権者は，主務大臣の登録を受けた法人ではなく，自然人であるところ，「自己の業務」として，本件指定役務に係る業務を行うことが法令上許されていない者といえるから，本件商標権者が「自己の業務」として上記業務を行うことはできない。
　したがって，本件商標は，本件商標権者において，「自己の業務に係る役務について使用する商標」ではない。
　イ　さらに，本件指定役務中の「確定拠出年金に関する資産管理契約の引受け（生命保険・損害保険に関するものを除く。），確定拠出年金に関する資産管理契約の引受けに関する情報の提供（生命保険・損害保険に関するものを除く。）」に係る業務についてみると，確定拠出年金法は，「事業主は，政令で定めるところにより，給付に充てるべき積立金について，次の各号のいずれかに掲げる契約を締結しなければならない」（第８条第１項：甲２）と規定し，事業主と資産管理機関との資産管理契約の締結を義務づけている。ここで，資産管理機関は，企業型年金では信託会社（信託業法（平成１６年法律第１５４号）第３条又は第５３条第１項の免許を受けたものに限る。）（確定拠出年金法第８条第１項第１号），信託業務を営む金融機関，生命保険会社（保険業法（平成７年法律第１０５号）第２条第３項に規定する生命保険会社及び同条第８項に規定する外国生命保険会社等をいう。）（確定拠出年金法第８条第１項第２号），農業協同組合連合会（全国を地区とし，農業協同組合法（昭和２２年法律第１３２号）第１０条第１項第１０号の事業のうち生命共済の事業を行うものに限る。）（確定拠出年金法第８条第１項第３号），損害保険会社（保険業法第２条第４項に規定する損害保険会社及び同条第９項に規定する外国損害保険会社等をいう。）（確定拠出年金法第８条第１項第４号）が担当する。
　本件商標権者は，前記アのとおり，自然人であって，信託業法によって認められた信託会社や信託業務を営む金融機関，保険業法によって認められた生命保険会社，農業協同組合法によって認められた農業協同組合連合会，保険業法によって認められた損害保険会社ではなく，「自己の業務」として，上記指定役務に係る業務を行うことが法令上許されていない者といえるから，本件商標権者が「自己の業務」として上記業務を行うことはできない。
　したがって，本件商標は，本件商標権者において，「自己の業務に係る役務について使用する商標」ではない。
　ウ　商標法第１条が「この法律は，商標を保護することにより，商標の使用をする者の業務上の信用の維持を図り，もって産業の発達に寄与し，あわせて需要者の利益を保護することを目的とする。」と規定していることなどに鑑みると，商標法は，商標の使用を通じてそれに化体された業務上の信用が保護対象であることを前提とし，出願人が現に商標を使用していることを登録要件としない法制（いわゆる登録主義）を採用したものであり，その上で，同法第３条第１項柱書が，出願人において，「自己の業務に係る商品又は役務について使用をする商標」であることを商標の登録要件とした趣旨は，上記のような法制の下において，他者からの許諾料や譲渡対価の取得のみを目的として行われる，いわゆる商標ブローカーなどによる濫用的な商標登録を排除し，登録商標制度の健全な運営を確保するという点にあるものと解される。そして，このような法の趣旨に鑑みれば，同法第３条第１項柱書の「自己の業務に係る商品又は役務について使用をする商標」とは，出願人が自己の業務に現に使用する商標又は近い将来において自己の業務に使用する意思がある商標であることを要し，また，ここでいう「自己の業務に使用する意思がある」といえるためには，単に出願人が主観的に使用の意図を有しているというのみでは足りず，自己の業務での使用を開始する具体的な予定が存在するなど，客観的にみて，近い将来における使用の蓋然性が認められることを要するものと解するのが相当である（平成２２年（ワ）第１１６０４号：甲３）。
　エ　商標法第３条第１項柱書の趣旨を念頭におきつつ，本件指定役務に係る業務を行うことができる主体についての確定拠出年金法第８８条第１項の規定の内容からすれば，本件商標の登録がされた当時（平成２３年１２月２２日）から，個人である本件商標権者が自ら確定拠出年金法第８８条第１項の登録を受けることは実際上不可能であったものと認められ，さらに，「確定拠出年金に関する資産管理契約の引受け（生命保険・損害保険に関するものを除く。），確定拠出年金に関する資産管理契約の引受けに関する情報の提供（生命保険・損害保険に関するものを除く。）」に係る業務を行うことができる主体についての確定拠出年金法第８条第１項各号の規定の内容からすれば，本件商標の登録がされた当時から，個人である本件商標権者が確定拠出年金法第８条第１項の資産管理契約の締結を行うことは実際上不可能であったものと認められるとともに，確定拠出年金法第８条第１項第１号ないし第４号の資産管理機関の主体となることは実際上不可能であったものと認められる。
　したがって，本件商標の登録時に，本件商標権者が本件指定役務の業務主体としてその役務に係る業務を行うことができなかったことは明らかである。
　よって，本件商標は，商標法第３条第１項柱書が定める登録要件を欠くものである。
　オ　確定拠出年金法の概要等
　（ア）確定拠出年金運営管理機関
　　ａ．確定拠出年金法第８８条第１項において，確定拠出年金運営管理業を行う者を主務大臣の登録を受けた法人等に限る趣旨は，（ａ）「確定拠出年金が，日本の年金制度において，各加入者等（審決注：確定拠出年金法第２条第７項において特定された「加入者等」と同じものと解する。以下同じ。）が自己の責任により運用し，その運用結果によって給付金額が決定される初めての制度であるところ，確定拠出年金が適切に運営され，老後の所得確保を図るための年金制度として国民に受け入れられ，定着していくためには，何よりも増して加入者等が適切な資産運用を行うことができるだけの情報・知識を有していることが重要であり，そのため確定拠出年金法第２２条の規定等に基づき，資産の運用に関する情報提供に係る業務を行うこととなる確定拠出年金を実施する事業主，国民年金基金連合会及びそれらから委託を受けて当該情報提供業務を行う確定拠出年金運営管理機関等（審決注：この項目においてのみ，以下「事業主等」という。）は，極めて重い責務を負っており，制度への加入時はもちろん，加入後においても，個々の加入者等の知識水準やニーズ等を踏まえつつ，加入者等が十分理解できるよう，必要かつ適切な情報提供を行わなければならず」，（ｂ）「資産の運用に関する情報提供に係る業務を行う事業主等は，常時前記（ａ）に記した責務を十分認識した上で，加入者等の利益が図られるよう，当該業務を行う必要がある」からである（甲４）。
　　ｂ．確定拠出年金法において，「確定拠出年金運営管理業」とは，「運営管理業務」の全部又は一部を行う事業をいい，その「運営管理業務」については，確定拠出年金法第２条第７項において定められている（甲２）。
　　ｃ．確定拠出年金運営管理機関の行為準則が，確定拠出年金法第９９条第１項（甲２）に定められ，「平成１３年８月２１日年発第２１３号　厚生労働省年金局長から地方厚生（支）局長宛通知」の「（別紙）確定拠出年金法並びにこれに基づく政令及び省令について（法令解釈）」において，「確定拠出年金運営管理機関の行為準則」の内容等が明示されている（甲５）。
　なお，確定拠出年金運営管理機関は，確定拠出年金制度を運営する機関であり，企業型年金の場合，企業（事業主）が選任する。業務内容には，加入者の運用関連業務及び記録関連業務があり，運営管理機関になる者は，業務の全部，又は，一部が適切に実施できる体制が整っている等の一定の適格要件が必要である。運営管理機関には，「個人情報の保護」や「利益相反行為の禁止」といった禁止行為が定められ，自己の名義をもって，他人に確定拠出年金運営管理業を営ませてはならず（確定拠出年金法第９５条：甲２），加入者のために忠実に業務を遂行し，加入者の利益を保護する受託者責任が課せられているとともに，その他，損失補償，特別の利益提供，損失補てん，故意の不事実告知・不実告知，運用商品の推奨行為が禁止されている。
　　ｄ．本件指定役務中の「確定拠出年金に関する運用管理の受託（生命保険・損害保険に関するものを除く。）」は，確定拠出年金に関する運用の管理を業として行うものであり，確定拠出年金法第２条第７項第２号に規定する運営管理業務の運用関連業務に該当する。また，本件指定役務中の「確定拠出年金に関する運用管理の受託に関する情報の提供（生命保険・損害保険に関するものを除く。）」は，確定拠出年金に関する運用管理に関する情報を業として提供するものであり，確定拠出年金法第２条第７項第２号に規定する運営管理業務の運用関連業務に該当する。したがって，個人である本件商標権者は，確定拠出年金運営管理機関のみが行うことができる上記指定役務に関する業務を行うことはできない。
　ｅ．確定拠出年金法では，「前条第１項の登録を受けようとする者は，次に掲げる事項を記載した登録申請書を主務大臣に提出しなければならない」と規定しているとともに（第８９条第１項：甲２），「主務大臣は，登録申請者が次の各号のいずれかに該当するとき，又は登録申請書若しくはその添付書類のうちに虚偽の記載があり，若しくは重要な事実の記載が欠けているときは，その登録を拒否しなければならない。」と規定している（第９１条第１項：甲２）。ここで，登録拒否事由の一例として，法人でない者（同項第１号），他に営んでいる事業が公益に反すると認められる法人又は当該事業に係る損失の危険の管理が困難であるために確定拠出年金管理業の遂行に支障を生ずると認められる法人（同項第４号）があり，その登録要件を厳格に規定している。
　（イ）資産管理機関
　　ａ．資産管理機関は，確定拠出年金制度の実施にあたり，加入者の年金資産の管理や，運営管理機関がとりまとめた運用指示に基づいて運用商品の売買，年金・一時金の支払いなどを行う機関であり，信託会社，信託業務を営む金融機関，生命保険会社，農業協同組合連合会，損害保険会社が受け持つ。資産管理機関は，受託者であり，忠実義務が課せられている。企業型年金を導入する事業主は，積立金の資産管理のために資産管理機関を選任し，資産管理機関と資産管理契約を締結しなければならない（確定拠出年金法第８条第１項：甲２）。その趣旨は，確定拠出年金の掛金を企業自体の資産から切り離して管理するとともに，その掛金を運用する銀行や証券会社などの金融機関からも掛金を切り離して給付までの長期間にわたって安全に管理する必要があるからである。
　　ｂ．本件指定役務中の「確定拠出年金に関する資産管理契約の引受け（生命保険・損害保険に関するものを除く。）」は，確定拠出年金に関する資産管理契約の引受けを業として行うものであり，資産管理機関が行う加入者の年金資産の管理の一態様に該当する。また，本件指定役務中の「確定拠出年金に関する資産管理契約の引受けに関する情報の提供（生命保険・損害保険に関するものを除く。）」は，確定拠出年金に関する資産管理契約の引受けに関する情報を業として提供するものであり，資産管理機関が行う加入者の年金資産の管理の一態様に該当する。したがって，個人である本件商標権者は，確定拠出年金の資産管理機関のみが行うことができる上記指定役務に関する業務を行うことはできない。
（２）商標法第４条第１項第１０号該当性について
　ア　引用商標の周知性
　（ア）請求人は，厚生労働大臣の登録を受けた運営管理機関登録業者であり（甲６），平成１１年１２月１０日の設立当時から現在に至るまで，商標「ＮＲＫ／ＮＥＴＷＯＲＫ」（登録第４６６５９８６号商標：甲３３，以下「引用商標」という。）を確定拠出年金運営管理業務に使用している。
　（イ）請求人の業務及び確定拠出年金制度に対応する本件指定役務は，全国的に流通して不特定多数に販売又は提供される商品又は役務とは異なり，確定拠出年金制度に関係する事業主やそれら機関においてのみ流通するという限定された市場においてのみ提供される役務である。したがって，引用商標の周知性は，事業主やそれら機関において広く知られていれば，その限定された市場において業務上の信用を既に獲得しているといえ，周知であると認定することができる。
　（ウ）請求人は，引用商標を表示したＮＲＫニュース（平成１６年９月まではＮＲＫ事業部ニュース）を平成１６年１月から現在（平成２４年６月）まで，４４の運営管理機関に（甲８ないし甲３２，甲３４，甲３５），また，引用商標を表示したＮＲＫ通信（平成１６年７月まではＮＲＫ事業部通信）を平成１６年１月から現在（平成２４年６月）まで，４の資産管理機関及び６２の商品提供機関に（甲３６ないし甲６０），それぞれメールで送信している。
　これらのＮＲＫニュース及びＮＲＫ通信には，そのフロントページ右上に，引用商標が表示されており，その末尾ページには，請求人の組織のうちの特定の部署であるＮＲＫ事務管理部ヘルプデスク（ＮＲＫ事業部ヘルプデスク又はＮＲＫ事業推進部ヘルプデスク）及び請求人のメールアドレスが記載されている。
　このように，請求人は，引用商標を付したＮＲＫニュース及びＮＲＫ通信を長年にわたって各運営管理機関，各資産管理機関及び各商品提供機関に送り，引用商標を長期間使用した結果，請求人が提供する役務に関する業務上の信用が引用商標に化体されている。
　（エ）さらに，請求人のホームページにアクセスした請求人取扱いの加入者等が，そのホームページに掲載された「ＮＲＫ」の文字を請求人を表す商標として認識するから，「ＮＲＫ」は，日本各地に居住する加入者等に広く認識されている。
　（オ）以上のように，引用商標は，請求人及びその業務に係る役務を表示するものとして，本件商標の出願時において，確定拠出年金制度の取引者及び需要者の間に広く認識された商標となっている。
　イ　本件商標と引用商標との類似について
　本件商標は，「ＮＲＫ」の文字を標準文字で現してなるものであるから，その構成文字から「エヌアールケイ」の称呼を生ずる。これに対し，引用商標は，「ＮＲＫ／ＮＥＴＷＯＲＫ」の文字からなるものであるから，その構成文字から「エヌアールケイ」又は「エヌアールケイネットワーク」の称呼を生ずる。
　このように，両商標は，その外観上互いに類似するものであるとともに，その称呼は同一又は類似するものである。
　ウ　役務の類似について
　引用商標を使用する請求人の業務は，確定拠出年金運営管理業のうちの記録関連業務であり，本件指定役務と請求人が提供する役務とは「類似商品・役務審査基準」における類似の役務である。
　エ　むすび
　以上のように，本件商標は，商標法第４条第１項第１０号に該当する。
　
第３　被請求人の主張
　被請求人は，前記第２の請求人の主張に対し，何ら答弁するところがない。
　
第４　当審の判断
１　利害関係について
　甲第６１号証ないし甲第６４号証によれば，請求人は，本件商標権者より，２０１２年（平成２４年）４月２３日付け及び同月２５日付け（再送）通知書をもって，請求人が確定拠出年金に係る役務について「ＮＲＫ」の文字からなる商標（本件商標）等を使用する行為は，本件商標の商標権を侵害するものであるから，当該商標の使用を中止するなどの対応をとるよう勧告する旨の通知を受け（甲６１），それ以降，再々にわたり，同趣旨の回答返書や警告書を受けたことが認められる。
　してみると，請求人は，本件商標の存在により，直接不利益を被る立場にある者ということができるから，本件審判を請求するにつき，法律上の利益を有する者というべきである。
　以下，本案に入って審理する。
２　商標法第３条第１項柱書について
（１）本件指定役務
　商標法第３条第１項柱書は，「自己の業務に係る商品又は役務について使用をする商標については，次に掲げる商標を除き，商標登録を受けることができる。」と規定し，登録出願に係る商標が，その出願人において，「自己の業務に係る商品又は役務について使用をする商標」であることを商標の登録要件の一つとして定めているところ，「自己の業務に係る商品又は役務について使用をする商標」とは，現に行っている業務に係る商品又は役務について，現に使用している場合に限らず，将来行う意思がある業務に係る商品又は役務について将来使用する意思を有する場合も含むと解される。
　本件指定役務は，前記第１のとおり，「確定拠出年金に関する運用管理の受託（生命保険・損害保険に関するものを除く。），確定拠出年金に関する資産管理契約の引受け（生命保険・損害保険に関するものを除く。），確定拠出年金に関する運用管理の受託に関する情報の提供（生命保険・損害保険に関するものを除く。），確定拠出年金に関する資産管理契約の引受けに関する情報の提供（生命保険・損害保険に関するものを除く。）」とするものである。
　そこで，本件商標が，その登録査定時において，本件商標権者が，現に行っている業務に係る役務について，現に使用している商標に該当するか否か，あるいは，将来行う意思がある業務に係る役務について，将来使用する意思を有する商標に該当するか否かにつき，以下検討する。
（２）確定拠出年金法について
　確定拠出年金法は，その目的を，少子高齢化の進展，高齢期の生活の多様化等の社会経済情勢の変化にかんがみ，個人又は事業主が拠出した資金を個人が自己の責任において運用の指図を行い，高齢期においてその結果に基づいた給付を受けることができるようにするため，確定拠出年金について必要な事項を定め，国民の高齢期における所得の確保に係る自主的な努力を支援し，もって公的年金の給付と相まって国民の生活の安定と福祉の向上に寄与することにある（第１条）ところ，本件審判に関連する主な規定を挙げると，以下のとおりである。
　ア　確定拠出年金とは，企業型年金と個人型年金をいい（確定拠出年金法第２条第１項），企業型年金とは，厚生年金適用事務所（厚生年金保険法（昭和２９年法律第１１５号）第６条第１項の適用事務所及び同条第３項の認可を受けた適用事務所）の事業主（以下「事業主」という。）が，単独で又は共同して実施する年金制度をいう（確定拠出年金法第２条第２項及び第４項）。また，個人型年金とは，連合会（国民年金基金連合会であって，個人型年金を実施する者として厚生労働大臣が全国を通じて一個に限り指定したもの。以下「連合会」という。）が実施する年金制度をいう（同条第３項及び第５項）。
　さらに，「確定拠出年金運営管理業」とは，次の（ア）及び（イ）に掲げる業務（以下「運営管理業務」という。）の全部又は一部を行う事業をいう（確定拠出年金法第２条第７項）。
　（ア）確定拠出年金における次のａ．からｃ．までに掲げる業務（連合会が行う個人型年金加入者の資格の確認に係る業務その他の厚生労働省令で定める業務を除く。以下「記録関連業務」という。）
　　ａ．企業型年金加入者及び企業型年金運用指図者並びに個人型年金加入者及び個人型年金運用指図者（以下「加入者等」と総称する。）の氏名，住所，個人別管理資産額その他の加入者等に関する事項の記録，保存及び通知
　　ｂ．加入者等が行った運用の指図の取りまとめ及びその内容の資産管理機関（企業型年金を実施する事業主が第８条第１項の規定により締結した契約の相手方をいう。以下同じ。）又は連合会への通知
　　ｃ．給付を受ける権利の裁定
　（イ）確定拠出年金における運用の方法の選定及び加入者等に対する提示並びに当該運用の方法に係る情報の提供（以下「運用関連業務」という。）
　イ　事業主は，政令で定めるところにより，運営管理業務の全部又は一部を確定拠出年金運営管理機関に委託することができる（確定拠出年金法第７条第１項）。確定拠出年金運営管理機関は，政令で定めるところにより，前項の規定により委託を受けた運営管理業務の一部を他の確定拠出年金運営管理機関に再委託することができる（同条第２項）。運営管理業務の全部又は一部を行う確定拠出年金運営管理機関が欠けることとなるときは，事業主は，当該全部若しくは一部の運営管理業務を自ら行い，又は当該運営管理業務を承継すべき確定拠出年金運営管理機関を定めて当該運営管理業務を委託しなければならない（同条第３項）。
　ウ　事業主は，政令で定めるところにより，給付に充てるべき積立金について，次のいずれかに掲げる契約を締結しなければならない（確定拠出年金法第８条第１項）。
　（ア）信託会社（信託業法（平成１６年法律第１５４号）第３条又は第５３条第１項の免許を受けたものに限る。），信託業務を営む金融機関，厚生年金基金又は企業年金基金を相手方とする運用の方法を特定する信託の契約
　（イ）生命保険会社（保険業法（平成７年法律第１０５号）第２条第３項に規定する生命保険会社及び同条第８項に規定する外国生命保険会社等をいう。）を相手方とする生命保険の契約
　（ウ）農業協同組合連合会（全国を地区とし，農業協同組合法（昭和２２年法律第１３２号）第１０条第１項第１０号の事業のうち生命共済の事業を行うものに限る。）を相手方とする生命共済の契約
　（エ）損害保険会社（保険業法第２条第４項に規定する損害保険会社及び同条第９項に規定する外国損害保険会社等をいう。）を相手方とする損害保険の契約
　エ　連合会は，政令で定めるところにより，運営管理業務を確定拠出年金運営管理機関に委託しなければならない（確定拠出年金法第６０条第１項）。
　オ　確定拠出年金運営管理機関の登録について，確定拠出年金運営管理業は，主務大臣（厚生労働大臣及び内閣総理大臣：確定拠出年金法施行令第５５条第１項）の登録を受けた法人でなければ，営んではならない（確定拠出年金法第８８条第１項）。銀行その他の政令で定める金融機関は，他の法律の規定にかかわらず，前項の登録を受けて確定拠出年金運営管理業を営むことができる（同条第２項）。
（３）前記（２）によれば，本件指定役務について，以下のとおり認定するのが相当である。
　ア　「確定拠出年金に関する運用管理の受託（生命保険・損害保険に関するものを除く。）」及び「確定拠出年金に関する資産管理契約の引受け（生命保険・損害保険に関するものを除く。）」について
　（ア）本件指定役務中の「確定拠出年金に関する運用管理の受託（生命保険・損害保険に関するものを除く。）」は，確定拠出年金運営管理業に属する役務と解される（確定拠出年金法第２条第７項）。そして，当該確定拠出年金運営管理業は，主務大臣（厚生労働大臣及び内閣総理大臣）の登録を受けた法人でなければ営んではならない（同法第８８条第１項）ところ，本件商標権者は，自然人であると認められる。
　してみると，本件指定役務中の「確定拠出年金に関する運用管理の受託（生命保険・損害保険に関するものを除く。）」は，自然人である出願人が，業として行うことが法令上禁止されている役務と認められる。
　（イ）本件指定役務中の「確定拠出年金に関する資産管理契約の引受け（生命保険・損害保険に関するものを除く。）」は，確定拠出年金運営管理業に属しない役務であり，確定拠出年金法第８条１項に規定する信託会社，信託業務を営む金融機関，厚生年金基金，企業年金基金，農業協同組合連合会が，事業主との間で給付に充てるべき積立金についての契約を締結することにより担う業務と解される（確定拠出年金法第２条第７項及び同法第８条第１項）。
　一方，本件指定役務中の「確定拠出年金に関する資産管理契約の引受け（生命保険・損害保険に関するものを除く。）」との関係から，生命保険会社，損害保険会社を除いた，信託会社，信託業務を営む金融機関，厚生年金基金，企業年金基金，農業協同組合連合会の業務等を定めた法律によれば，以下のとおりである。
　　ａ．信託会社及び信託業務を営む金融機関について
　信託業法によれば，「信託業」とは，信託の引受けを行う営業をいい（同法第２条第１項），信託業は，内閣総理大臣の免許を受けた者でなければ，営むことができない（第３条），と規定され，さらに，内閣総理大臣は，第３条の免許の申請があった場合，申請者が株式会社でない者に該当するときは，免許を与えてならない（第５条第２項），と規定されている。
　また，金融機関の信託業務の兼営等に関する法律によれば，銀行その他の金融機関は，他の法律の規定にかかわらず，内閣総理大臣の認可を受けて，信託業法第２条第１項に規定する信託業を営むことができる（同法第１条第１項），と規定されている。
　　ｂ．厚生年金基金及び企業年金基金について
　厚生年金保険法によれば，厚生年金基金は，法人とする（同法第１０８条第１項），と規定されている。
　また，確定給付企業年金法によれば，企業年金基金は，法人とする（同法第９条第１項），と規定されている。
　　ｃ．農業協同組合連合会について
　農業協同組合法によれば，農業協同組合及び農業協同組合連合会は，法人とする（第５条），と規定されている。
　以上ａ．ないしｃ．によれば，確定拠出年金法第８条１項で規定する事業主が給付に充てるべき積立金について締結した契約の相手方のうち，信託会社は「株式会社」でなければならないこと，信託業務を営む金融機関は，銀行その他の金融機関であって，内閣総理大臣の認可を受けた者でなければならないこと，厚生年金基金及び農業協同組合連合会は「法人」とすることが求められるから，本件指定役務中の「確定拠出年金に関する資産管理契約の引受け（生命保険・損害保険に関するものを除く。）」は，自然人である出願人が，業として行うことが法令上禁止されている役務と認められる。
　（ウ）以上によれば，本件商標権者は，その登録査定時において，その指定役務中の「確定拠出年金に関する運用管理の受託（生命保険・損害保険に関するものを除く。）」及び「確定拠出年金に関する資産管理契約の引受け（生命保険・損害保険に関するものを除く。）」について，業としてこれらの役務を行うことが法令上禁止されていた者と認めることができる。
　そして，本件商標権者が，将来において，「確定拠出年金に関する運用管理の受託（生命保険・損害保険に関するものを除く。）」及び「確定拠出年金に関する資産管理契約の引受け（生命保険・損害保険に関するものを除く。）」を業として行う意思を有し，かつ，上記指定役務について，本件商標を使用する意思を有すると認めるに足りる証拠の提出はない。
　イ　「確定拠出年金に関する運用管理の受託に関する情報の提供（生命保険・損害保険に関するものを除く。），確定拠出年金に関する資産管理契約の引受けに関する情報の提供（生命保険・損害保険に関するものを除く。）」について
　上記役務は，確定拠出年金運営管理業に属しない役務と解される（確定拠出年金法第２条第７項及び同法第８条第１項）ところ，本件商標権者は，当該役務について，現に業として行っている，又は，将来業として行う予定にあることについて，立証責任を負っているところ，その事実を裏付ける証拠を何ら提出していない。
　ウ　したがって，本件商標は，その登録査定時において，本件商標権者が現に自己の業務に係る役務に使用している商標に該当しないばかりか，将来自己の業務に係る役務について使用する商標にも該当しないから，本件商標の登録は，「自己の業務に係る役務について使用をする商標」についてされたものと認めることができず，商標法第３条第１項柱書の要件を具備しない。
３　まとめ
　以上のとおり，本件商標は商標法第３条第１項柱書の要件を具備しないものというべきであるから，その余の請求の理由について判断するまでもなく，その登録は，同法第４６条第１項の規定により，無効とすべきものである。
　よって，結論のとおり審決する。